(57)【要約】【課題】開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動によって好適に換気することができ、しかも、障子が開口閉鎖位置にある場合において建物内側及び建物外側のいずれにも何も突出させることがない自然換気窓を提供すること。【解決手段】自然換気窓１は、建物（図示せず）に装着される窓枠２と、窓枠２に画成された開口３に配される障子４と、気流に基づいて開口３を開閉させる開閉手段６とを具備している。自然換気窓１は、建物外７側に向かう障子４の開口開放移動により図１に示すように開口３を開き、建物内８側に向かう障子４の開口閉鎖移動により図４及び図５に示すように開口３を閉じるようになっている。【選択図】図１
2008190297.tif 000002
【特許請求の範囲】
【請求項１】
建物に装着される窓枠と、窓枠に画成された開口に配される障子と、気流に基づいて開口を開閉させる開閉手段とを具備しており、開閉手段は、障子の上框側の部位を昇降自在に且つ水平軸の回りで回動自在に支持する第一の支持機構と、前記部位に対して下方に位置する障子の他の部位を、建物内外方向に移動自在に且つ水平軸の回りで回動自在に支持する第二の支持機構とを具備しており、障子の他の部位は、障子が開口閉鎖位置にある場合に障子の重心に対して上方に位置すると共に当該重心に対して建物外側に位置するように配されており、第二の支持機構は、障子の他の部位に形成された被支持部材と、被支持部材を建物内外方向に直動自在に且つ水平軸の回りで回動自在に支持する支持部材と、建物内外方向に直動自在に支持部材に支持された状態の被支持部材に対して下方に且つ建物内側に位置するように、支持部材を窓枠に水平軸の回りで回動自在に連結している回動軸と、窓枠に装着されていると共に、被支持部材の建物内方向に向かう直動に基づいて被支持部材を上方に案内する一方、被支持部材の建物外方向に向かう直動に基づいて被支持部材を下方に案内するように、建物内側に寄って位置する被支持部材に当接する案内部材と、被支持部材を建物内外方向に直動自在に支持した状態における支持部材の回動角を保持する保持機構とを具備している自然換気窓。
【請求項２】
支持部材は、被支持部材を建物内外方向に直動自在に且つ水平軸の回りで回動自在に支持する直動支持部と、直動支持部の建物外側寄りの端部に連接されており、建物内方向に向かう障子の他の部位の移動に際して当該他の部位を下方に変位させる一方、建物外方向に向かう障子の他の部位の移動に際して当該他の部位を上方に変位させるように、被支持部材を建物内外方向に交差する方向に移動自在に且つ水平軸の回りで回動自在に支持する建物外側寄りの端側支持部とを具備している請求項１に記載の自然換気窓。
【請求項３】
直動支持部及び端側支持部は、互いに協働して、被支持部材を建物内外方向及び建物内外方向に交差する方向に案内する長孔又はスリットを形成している請求項２に記載の自然換気窓。
【請求項４】
支持部材は、直動支持部の建物内側寄りの端部に連接されており、直動支持部に形成される長孔又はスリットの部位よりも拡げられた長孔又はスリットの拡部を有すると共に当該拡部において被支持部材を支持する建物内側寄りの端側支持部を具備している請求項３に記載の自然換気窓。
【請求項５】
案内部材は、建物内方向に向かう被支持部材の直動に基づく回動が支持部材に生じる前又は同時に、被支持部材に当接するように窓枠に装着されている請求項１から４のいずれか一項に記載の自然換気窓。
【請求項６】
第一の支持機構は、障子の上框側の部位を鉛直方向に直動自在に支持するようになっている請求項１から５のいずれか一項に記載の自然換気窓。
【請求項７】
第一の支持機構は、障子に開口開放方向の移動力を与えるべく、障子の上框側の部位を窓枠に対して下方に向かって弾性的に付勢する付勢部材を具備している請求項１から６のいずれか一項に記載の自然換気窓。
【請求項８】
開口開放位置にある障子の他の部位及び当該障子の重心は、鉛直方向に伸びる同一直線上に夫々位置する請求項１から７のいずれか一項に記載の自然換気窓。
【請求項９】
開閉手段は、開口閉鎖位置にある障子を窓枠に係合させる係合手段を具備している請求項１から８のいずれか一項に記載の自然換気窓。
【発明の詳細な説明】
【技術分野】
【０００１】
本発明は、気流に基づく障子の開閉移動により建物の開口を開閉させる自然換気窓に関する。
【背景技術】
【０００２】
【特許文献１】特開２００３−２４７３７１号公報
【０００３】
例えば特許文献１においては、障子の竪框上部に一端が枢着され他端が前記一端よりも低い位置において窓枠の竪枠に枢着されたメインアームと、竪框中間部に一端が枢着され他端が竪枠下部に枢着されており、メインアームよりも長いサブアームとを有しており、サブアームの一端及び窓を閉じた状態にある障子の重心が、鉛直方向に伸びる同一線上に位置するように夫々配されている自然換気窓が提案されている。
【発明の開示】
【発明が解決しようとする課題】
【０００４】
ところで、斯かる自然換気窓では、メインアーム及びサブアームの回転やサブアームの一端及び障子の重心の夫々の位置などの関係上、窓を開くと障子に付与される建物の開口開放位置に向かう回動モーメントも増すために、開口開放位置側にある障子の気流に基づく開口閉鎖移動を軽くすると共に開口閉鎖位置側にある障子の気流に基づく開口閉鎖移動を重くすることが困難である。また、障子が開口閉鎖位置にある場合には、建物内側及び建物外側のいずれにも何も突出させない自然換気窓が好ましい。
【０００５】
本発明は、前記諸点に鑑みてなされたものであり、その目的とするところは、開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動によって好適に換気することができ、しかも、障子が開口閉鎖位置にある場合において建物内側及び建物外側のいずれにも何も突出させることがない自然換気窓を提供することにある。
【課題を解決するための手段】
【０００６】
本発明の自然換気窓は、建物に装着される窓枠と、窓枠に画成された開口に配される障子と、気流に基づいて開口を開閉させる開閉手段とを具備しており、開閉手段は、障子の上框側の部位を昇降自在に且つ水平軸の回りで回動自在に支持する第一の支持機構と、前記部位に対して下方に位置する障子の他の部位を、建物内外方向に移動自在に且つ水平軸の回りで回動自在に支持する第二の支持機構とを具備しており、障子の他の部位は、障子が開口閉鎖位置にある場合に障子の重心に対して上方に位置すると共に当該重心に対して建物外側に位置するように配されており、第二の支持機構は、障子の他の部位に形成された被支持部材と、被支持部材を建物内外方向に直動自在に且つ水平軸の回りで回動自在に支持する支持部材と、建物内外方向に直動自在に支持部材に支持された状態の被支持部材に対して下方に且つ建物内側に位置するように、支持部材を窓枠に水平軸の回りで回動自在に連結している回動軸と、窓枠に装着されていると共に、被支持部材の建物内方向に向かう直動に基づいて被支持部材を上方に案内する一方、被支持部材の建物外方向に向かう直動に基づいて被支持部材を下方に案内するように、建物内側に寄って位置する被支持部材に当接する案内部材と、被支持部材を建物内外方向に直動自在に支持した状態における支持部材の回動角を保持する保持機構とを具備している。
【０００７】
本発明の自然換気窓によれば、特に、障子の他の部位は、障子が開口閉鎖位置にある場合に障子の重心に対して上方に位置すると共に当該重心に対して建物外側に位置するように配されており、第二の支持機構は、障子の他の部位に形成された被支持部材と、被支持部材を建物内外方向に直動自在に且つ水平軸の回りで回動自在に支持する支持部材と、建物内外方向に直動自在に支持部材に支持された状態の被支持部材に対して下方に且つ建物内側に位置するように、支持部材を窓枠に水平軸の回りで回動自在に連結している回動軸と、窓枠に装着されていると共に、当該被支持部材の建物内方向に向かう直動に基づいて被支持部材を上方に案内する一方、当該被支持部材の建物外方向に向かう直動に基づいて被支持部材を下方に案内するように、建物内側に寄って位置する被支持部材に当接する案内部材と、被支持部材を建物内外方向に直動自在に支持した状態における支持部材の回動角を保持する保持機構とを具備しているために、開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動により好適に換気することができ、案内部材による被支持部材の案内によって障子の開口閉鎖移動に抗する抗開口閉鎖移動力を生じさせることで、開口閉鎖位置側にある障子の急速な開口閉鎖移動を防止することができ、しかも、支持部材が被支持部材の建物内方向の直動に基づく建物内側に向かう回動を生じることにより障子が開口閉鎖位置にある場合において建物内側及び建物外側のいずれにも何も突出させることがなくなる。
【０００８】
本発明の自然換気窓の好ましい例では、支持部材は、被支持部材を建物内外方向に直動自在に且つ水平軸の回りで回動自在に支持する直動支持部と、直動支持部の建物外側寄りの端部に連接されており、建物内方向に向かう障子の他の部位の移動に際して当該他の部位を下方に変位させる一方、建物外方向に向かう障子の他の部位の移動に際して当該他の部位を上方に変位させるように、被支持部材を建物内外方向に交差する方向に移動自在に且つ水平軸の回りで回動自在に支持する建物外側寄りの端側支持部とを具備している。このような好ましい例によれば、建物外側寄りの端側支持部において開口開放位置側にある障子の急速な開口開放移動を防止することができる。
【０００９】
本発明の自然換気窓の好ましい例では、直動支持部及び端側支持部は、互いに協働して、被支持部材を建物内外方向及び建物内外方向に交差する方向に案内する長孔又はスリットを形成している。
【００１０】
本発明の自然換気窓の好ましい例では、支持部材は、直動支持部の建物内側寄りの端部に連接されており、直動支持部に形成される長孔又はスリットの部位よりも拡げられた長孔又はスリットの拡部を有すると共に当該拡部において被支持部材を支持する建物内側寄りの端側支持部を具備している。
【００１１】
本発明の自然換気窓の好ましい例では、案内部材は、建物内方向に向かう被支持部材の直動に基づく回動が支持部材に生じる前又は同時に、被支持部材に当接するように窓枠に装着されている。このような好ましい例によれば、支持部材の建物内側寄りの部位において障子の開口閉鎖移動力に抗する抗開口閉鎖移動力が瞬間的に過大になることを阻止し得る。
【００１２】
本発明の自然換気窓の好ましい例では、第一の支持機構は、障子の上框側の部位を鉛直方向に直動自在に支持するようになっている。
【００１３】
本発明の自然換気窓の好ましい例では、第一の支持機構は、障子に開口開放方向の移動力を与えるべく、障子の上框側の部位を窓枠に対して下方に向かって弾性的に付勢する付勢部材を具備している。
【００１４】
本発明の自然換気窓の好ましい例では、開口開放位置にある障子の他の部位及び当該障子の重心は、鉛直方向に伸びる同一直線上に夫々位置する。このような好ましい例によれば、障子に重錘等を装着することなく、開口開放位置において障子を釣り合わせることができて、ストッパ等を用いずとも障子の開口開放方向に向かう移動を停止させることができ、しかも、開口開放位置又はその近傍にある障子の気流に基づく開閉移動を軽くすることができる。
【００１５】
本発明の自然換気窓の好ましい例では、開閉手段は、開口閉鎖位置にある障子を窓枠に係合させる係合手段を具備している。
【発明の効果】
【００１６】
本発明によれば、開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動によって好適に換気することができ、しかも、障子が開口閉鎖位置にある場合において建物内側及び建物外側のいずれにも何も突出させることがない自然換気窓を提供し得る。
【発明を実施するための最良の形態】
【００１７】
次に、本発明の実施の形態の例を、図に示す例に基づいて更に詳細に説明する。尚、本発明は、これら例に何等限定されないのである。
【００１８】
図１から図９において、本例の自然換気窓１は、建物（図示せず）に装着される窓枠２と、窓枠２に画成された開口３に配される障子４と、気流に基づいて開口３を開閉させる開閉手段６とを具備している。自然換気窓１は、建物外７側に向かう障子４の開口開放移動により図１に示すように開口３を開き、建物内８側に向かう障子４の開口閉鎖移動により図４及び図５に示すように開口３を閉じるようになっている。
【００１９】
窓枠２は、上枠１２、下枠１３並びに一対の縦枠１４及び１５を有している。上枠１２、下枠１３並びに縦枠１４及び１５が障子４に当接する部位には、障子４に当接するシール部材が装着されている。
【００２０】
障子４は、開口３を開閉自在となるように開閉手段６を介して窓枠２に装着される。障子４は、ガラス板等からなる矩形状の障子本体２１、上框２２、下框２３並びに一対の縦框２４及び２５を有している。障子本体２１の周囲は、上框２２、下框２３並びに一対の縦框２４及び２５に覆われている。後述の被支持部材としての軸体５１が装着される縦框２４及び２５の部位は、本例では障子本体２１に対して建物外７側に突出している。障子４は、開口開放位置において静止した状態となり、気流に基づく開口閉鎖移動により図３に示すように開口３を狭めたり、気流に基づく開口開放移動により図２に示すように開口３を拡げたりするようになっている。
【００２１】
開閉手段６は、障子４の上框２２側の部位３１を鉛直方向Ｖにおいて昇降自在に且つ水平軸Ｓ１の回りでＲ１方向に回動自在に支持する支持機構３２と、部位３１に対して下方に位置する障子４の他の部位３３を、建物内外方向Ｘに移動自在に且つ水平軸Ｓ２の回りでＲ２方向に回動自在に支持する支持機構３４と、開口閉鎖位置にある障子４を窓枠２に係合させる係合手段３５とを具備している。部位３１及び３３は、縦框２４及び２５に夫々設けられている。水平軸Ｓ１及びＳ２は、鉛直方向Ｖ及び建物内外方向Ｘに対して直交する横方向Ｙに伸びている。建物内外方向Ｘは、本例では水平方向に対して平行であって横方向Ｙに対して直交する方向であるが、例えば建物内８側から建物外７側に向かって水平方向（水平面内の方向）に対して上向きに又は下向きに傾斜する方向であってもよい。部位３３は、障子４が開口閉鎖位置にある場合に障子４の重心Ｇに対して上方に位置すると共に当該重心Ｇに対して建物外７側に位置するように配されている。
【００２２】
支持機構３２は、縦框２４の部位３１及び縦框２５の部位３１の夫々に装着された軸体４１と、軸体４１を鉛直方向Ｖに直動案内するように縦枠１４及び１５の夫々に装着された鉛直方向Ｖに伸びた案内部材４２と、障子４に開口開放方向の移動力を与えるべく、部位３１を窓枠２に対して下方に向かって弾性的に付勢する付勢部材としてのばね４４とを具備している。尚、支持機構３２は、本例ではばね４４を具備しているが、当該ばね４４を省いてもよい。
【００２３】
案内部材４２は、鉛直方向Ｖに伸びた条溝４３を形成するように断面コ字状となっている。条溝４３には、軸体４１が鉛直方向Ｖに直動自在に且つ水平軸Ｓ１を中心として回転自在に配置される。案内部材４２は、障子４の開閉移動に伴って軸体４１が鉛直方向Ｖに直動する距離に対して同一であるか又は当該距離よりも長くなるように形成されている。条溝４３に配される軸体４１の部位には、転動ローラが装着されていてもよい。尚、支持機構３２は、図１に示す開口開放状態における軸体４１の案内部材４２に対する位置よりも当該軸体４１が下降することを防止すべく、当該位置にある軸体４１に当接するストッパを更に具備していてもよい。軸体４１は、障子４の開口開放移動及び開口閉鎖移動に伴い、案内部材４２に対して鉛直方向Ｖにおいて昇降すると共に当該案内部材４２に対して水平軸Ｓ１を軸心として回転する。
【００２４】
水平軸Ｓ１を中心とする部位３１は、図４に示す開口閉鎖位置にある障子４の重心Ｇに対して上方に位置する。部位３１は、本例では、建物内外方向Ｘにおいて前記重心Ｇに対して若干建物内８側に位置する。斯かる支持機構３２は、部位３１を鉛直方向Ｖに直動自在に且つ水平軸Ｓ１の回りで回動自在に支持するようになっている。
【００２５】
支持機構３４は、縦框２４の部位３３及び縦框２５の部位３３の夫々に形成された横方向Ｙに伸びた被支持部材としての軸体５１と、軸体５１を建物内外方向Ｘに直動自在に且つ水平軸Ｓ２の回りで回動自在に支持する支持部材５２と、建物内外方向Ｘに直動自在に支持部材５２に支持された状態の軸体５１に対して下方に且つ建物内８側に位置すると共に、支持部材５２を窓枠２に水平軸Ｓ３の回りでＲ３方向に回動自在に連結している回動軸４５と、窓枠２に装着されていると共に、当該軸体５１の建物内方向Ｘ２に向かう直動に基づいて軸体５１を上方に案内する一方、軸体５１の建物外方向Ｘ１に向かう直動に基づいて軸体５１を下方に案内するように、建物内８側に寄って位置する軸体５１に当接する案内部材４６と、図１及び図７に示すように軸体５１を建物内外方向Ｘに直動自在に支持した状態における支持部材５２の回動角を保持する保持機構４７とを具備している。
【００２６】
水平軸Ｓ２を中心とする軸体５１及び部位３３は、図４に示すように障子４が開口閉鎖位置にある場合に障子４の重心Ｇに対して上方に位置すると共に当該重心Ｇに対して建物外７側に位置する。図１に示すように障子４が開口開放位置にある場合に部位３３及び軸体５１と障子４の重心Ｇとは、鉛直方向Ｖに伸びる同一直線上に夫々位置する。
【００２７】
支持部材５２は、例えば図７及び図８に示すように、軸体５１を建物内外方向Ｘに直動自在に且つ水平軸Ｓ２の回りでＲ２方向に回動自在に支持する直動支持部５３と、直動支持部５３の建物外７側寄りの端部５６に連接されており、建物内方向Ｘ２に向かう障子４の部位３３の移動に際して当該部位３３を鉛直方向Ｖに関して下方に変位させる一方、建物外方向Ｘ１に向かう障子４の部位３３の移動に際して当該部位３３を鉛直方向Ｖに関して上方に変位させるように、軸体５１を建物内外方向Ｘに交差する方向に移動自在に且つ水平軸Ｓ２の回りでＲ２方向に回動自在に支持する建物外７側寄りの端側支持部５７とを具備している。
【００２８】
直動支持部５３及び端側支持部５７は、互いに協働して、軸体５１を建物内外方向Ｘ及び建物内外方向Ｘに交差する方向に案内する一つの長孔又はスリット、本例では長孔６１を形成している。長孔６１には、軸体５１が建物内外方向Ｘに直動自在に且つ水平軸Ｓ２を中心としてＲ２方向に回転自在に配置される。長孔６１の建物内８側の端面６２は、障子４が図１に示す開口開放位置にある場合に回動軸４５に対して上方に且つ建物外７側に位置すると共に、障子４が図４に示す開口閉鎖位置にある場合に回動軸４５に対して上方に且つ建物内８側に位置するように配されている。端面６２は、障子４の部位３３の所定量以上の開口閉鎖移動を抑止するように軸体５１に当接するようになっている。長孔６１の建物外７側の端面６３は、障子４の部位３３の所定量以上の開口開放移動を抑止するように軸体５１に当接するようになっている。長孔６１に配される軸体５１の部位には、転動ローラが装着されていてもよい。
【００２９】
直動支持部５３に形成される長孔６１の部位７１は、建物内外方向Ｘに伸びている。直動支持部５３に配された状態の軸体５１は、建物内方向Ｘ２に向かう気流に基づいて直動支持部５３の建物内８側に向かって移動する一方、建物外方向Ｘ１に向かう気流に基づいて建物外７側に向かって移動するように、建物内外方向Ｘに直動自在となっている。障子４の部位３３が図１に示すように直動支持部５３の端部５６に位置した状態においては、障子４はその自重によりバランスを保って静止する。斯かる静止状態にある障子４は、気流に基づいて開口開放移動及び開口閉鎖移動が自在な状態にある。図１に示すように障子４が静止する位置を本例においては開口開放位置としている。
【００３０】
端側支持部５７に形成される長孔６１の部位７３に沿って伸びる図７に示す線７７は、部位７３を移動する軸体５１の軸心の軌跡であり、斯かる線７７は、直線であっても曲線であってもよく、曲線の場合は上に向かって凹状又は凸状であってもよい。線７７は、建物内外方向Ｘに伸びる線（直線）７６に対して、建物内８側から建物外７側に向かって上向きに傾斜している。部位７３の建物外７側の一端は、部位７１に連接する部位７３の他端よりも上方に位置している。例えば線７７が上に向かって凹状の曲線である場合には、端側支持部５７に位置する障子４の部位３３に付与される気流に基づく開口開放移動力に抗する障子４の自重に基づく抗開口開放移動力は、軸体５１の位置が端側支持部５７の他端側から一端側に移行するに従って漸増する。端側支持部５７は、上述のように、障子４の部位３３に抗開口開放移動力を付与するようになっており、これにより、障子４が図２に示す開口全開位置に到達する直前において当該障子４の開口開放移動を減速させ得て、軸体５１の端面６３への衝突を防止し得る。また、端側支持部５７は、線７７が線７６に対して建物内８側から建物外７側に向かって上向きに傾斜しているので、当該端側支持部５７に位置する障子４の部位３３に対して、当該障子４の自重に基づく開口閉鎖移動力を障子４を開口開放位置に復帰させるために付与するようにもなっている。
【００３１】
尚、支持部材５２は、例えば図１０に示すように、直動支持部５３の建物内８側寄りの端部５４に連接されており、直動支持部５３に形成される長孔６１の部位７１よりも拡げられた長孔６１の拡部７２を有すると共に当該拡部７２において軸体５１を支持する建物内８側寄りの端側支持部５５を更に具備していてもよい。
【００３２】
案内部材４６は、建物内方向Ｘ２に向かう軸体５１の直動に基づくＲ３方向の回動が支持部材５２に生じる前又は同時に、軸体５１に当接するように縦枠１４及び１５に装着されている。案内部材４６は、軸体５１に当接する円弧状の案内面４８を有している。
【００３３】
回動軸４５は、支持部材５２の回動軸心となっており、図３に示すように端面６２に当接した状態の軸体５１に対して偏心して配されている。端面６２に当接した状態の軸体５１の回動軸４５を回動軸心とする図７に線を用いて示す回動軌跡７５は、建物外７側から建物内８側に向かって円弧を描きながら上方に向かっている。障子４が開口閉鎖位置に配された状態においては、軸体５１は案内部材４６に持ち上げられて、最も上方に位置する。軸体５１と回動軸４５とを結ぶ線８８が鉛直方向Ｖに伸びる線（直線）８２に対して建物外７側に傾斜した際には、支持部材５２には障子４の自重に基づく建物外７側に向かうＲ３方向の回動力を生じるので、障子４の初期の開口開放移動を勢い付けることができ、また、当該建物外７側に向かうＲ３方向の回動力を生じるので、障子４により開口３が閉鎖される直前において当該障子４の開口閉鎖移動力を減速させ得て、開口閉鎖時の衝撃を弱めることができる。線８８が線８２に対して建物内８側に傾斜した際には、支持部材５２には障子４の自重に基づく建物内８側に向かうＲ３方向の回動力を生じ、この回動力により障子４にいわゆるセルフロックを行わせる。支持部材５２は、障子４の開口開放移動及び開口閉鎖移動に伴って回動軸４５の回りで回動されて、開口開放時には建物外７側に突出して位置する一方、開口閉鎖時には鉛直方向Ｖ又は上に向かって建物内８側に傾斜した方向に伸びて位置するようになっており、而して、特に開口閉鎖時において支持部材５２を建物外７側及び建物内８側のいずれにも突出させることなく収容することができる。
【００３４】
回動軸４５を通る線８２よりも建物外７側に位置する回動軌跡７５の部分は、例えば図７に示すように、建物内８側から建物外７側に向かうに従って線７６に対して次第に急勾配となっている。回動軸４５を通る線８２よりも建物内８側に位置する回動軸４５の回動軸心の軌跡は、回動軸４６が案内部材４６の水平面に案内されるので、水平方向に伸びる。
【００３５】
保持機構４７は、支持部材５２の建物内８側の端部に一体的に形成された被係止凸部９１と、縦框２４及び２５の夫々に形成されていると共に被係止凸部９１を係止する係止凸部９２とを具備している。被係止凸部９１は、回動軸４５を中心とする支持部材５２のＲ３方向の回動によって回動され、支持部材５２が図１及び図７に示す位置に配された際に係止凸部９２に当接し、この当接により支持部材５２の建物外７側に向かう所定量以上のＲ３方向の回動を禁止するように当該被係止凸部９１を係止するようになっており、斯かる係止により支持部材５２の回動が禁止されると、支持部材５２は、部位７１が建物内外方向Ｘに沿って伸びた状態となる図１及び図７に示す回動角を保持することとなる。
【００３６】
障子４が開口閉鎖位置にある場合に部位３３と重心Ｇとを結んだ図４に示す線８１は、鉛直方向Ｖに伸びる線８２に対して、下方に向かって建物内８側向きに傾斜しており、この傾斜角θ３は、障子４が開口開放移動によって開口開放位置に近づくに連れて漸減し、障子４が開口開放位置に配された際に０度となる。障子４が開口開放位置にある場合に障子４の部位３３と障子４の重心Ｇとを結ぶ図１に示す線８３は、鉛直方向Ｖに伸びる線８２に対して平行となる。線８１が線８２に対して下方に向かって建物内８側向きに傾斜している場合には、障子４にはその自重に基づく開口開放移動力が付与され、傾斜角θ３が０度となった場合には、部位３３の位置と重心Ｇの位置との関係における開口開放移動力は生じなくなる。また、障子４が図２に示す開口全開位置にある場合に障子４の部位３３と障子４の重心Ｇとを結ぶ図２に示す線８４は、鉛直方向Ｖに伸びる線８２に対して、下方に向かって建物外７側向きに傾斜しており、この傾斜角θ４は、障子４が開口閉鎖移動によって図１に示す開口開放位置に近づくに連れて漸減し、障子４が開口開放位置に配された際に上記同様に０度となる。線８４が線８２に対して下方に向かった建物外７側向きに傾斜している場合には、障子４にはその自重に基づく開口閉鎖移動力が付与され、傾斜角θ４が０度となった場合には、部位３３の位置と重心Ｇの位置との関係における開口閉鎖移動力は生じなくなる。
【００３７】
係合手段３５は、下框２３に回転自在に装着されたＬ字状のレバーからなる係合部材６５を具備している。斯かる係合部材６５は、開口閉鎖状態において回転操作されることにより建物内８側において下枠１３に当接し、これにより障子４を窓枠２に係合させるようになっている。また、係合部材６５は、前記回転操作とは逆方向に回転操作されることにより下枠１３から離反されて、障子４の窓枠２に対する係合を解除させるようになっている。
【００３８】
以上の自然換気窓１による窓開閉動作について以下説明する。まず、図４に示す開口閉鎖位置にある障子４の開口開放移動を、係合手段３５による障子４と窓枠２との係合を解除することにより許容し、続いて、線８８が線８２に対して建物外７側に傾斜するように障子４を若干移動させていわゆるセルフロックを解除する。係合手段３５による係合及び前記セルフロックが解除されると、障子４の部位３３には、建物内外方向Ｘにおいて部位３３が重心Ｇに対して建物外７側に位置しているために開口開放位置に向かうＲ２方向の回動モーメントが付与され、しかも、自重に基づく障子４の下降に伴い、軸体５１が案内部材４６に当接して回動軌跡７５上を建物外７側に向かって移動するために、障子４は案内部材４６による案内によって勢いづけられながら開口開放移動を開始する。当該開口開放移動に伴い、支持部材５２もまた建物外７側に向かってＲ３方向に回動される。軸体４１は部位３３のＲ２方向の回動に伴い、Ｒ１方向の回動を生じながら条溝４３に沿って下降する。障子４に付与される開口開放位置に向かうＲ２方向の回動モーメントは、障子４が開口開放位置に近づくに連れて傾斜角θ３が次第に小さくなるために、漸減する。図１及び図３に示すように、軸体５１が部位７１において建物外方向Ｘ１に向かって直動する際にも、障子４にはその自重に基づく開口開放移動力が付与され、障子４は開口開放位置に到達するまで開口開放移動をし続ける。障子４が開口開放移動により開口開放位置に到達すると、部位３３と重心Ｇとが鉛直方向Ｖに伸びる同一直線上に位置し、これにより障子４の自重に基づく開口開放移動力が生じなくなり、而して、障子４は開口開放位置で静止する。このようにＲ２方向の回動モーメントが漸減するために障子４による急速な開口開放を防止することができ、また逆に、障子４が開口開放位置から開口閉鎖位置に向かって漸次移動される場合には、障子４に付与される開口開放位置に向かうＲ２方向の回動モーメントであって障子４の開口閉鎖移動に抗する回動モーメントは漸増するために、急速な開口閉鎖を防止することができ、しかも、特に回動軸４５、支持部材５２及び案内部材４６を具備するために、部位３３が開口閉鎖位置及びその近傍に位置する場合に障子４の開口開放移動の開始を円滑に行わせ得、また、急速な開口閉鎖を防止することができる。
【００３９】
障子４が開口開放位置に配された場合に、気流により障子４に対して建物外７側が正圧に且つ建物内８側が負圧になると、障子４には気流に基づく開口閉鎖移動力が付与され、当該障子４は、気流に基づいて開口閉鎖移動され、而して、建物外７から建物内８への気体流量を減少させる。逆に、気流により障子４に対して建物外７側が負圧に且つ建物内８側が正圧になると、障子４には気流に基づく開口開放移動力が付与され、当該障子４は、気流に基づいて開口開放移動され、而して、建物内８から建物外７への気体流量を増大させる。気流に基づく開口開放移動力又は開口閉鎖移動力が生じなくなると、障子４は、上述のように開口開放位置に復帰し、静止する。
【００４０】
軸体５１が部位７３に位置する場合には、障子４には開口開放移動力に抗する抗開口開放移動力が付与されるので、障子４の図２に示す開口全開位置に向かう開口開放移動は減速される。軸体５１が端面６３に当接すると、開口開放位置から開口全開位置に向かう開口開放移動は停止される。気流に基づく開口開放移動力が生じなくなると、部位３３が端側支持部５７にある障子４は開口開放位置に復帰し、静止する。
【００４１】
開口開放位置にある障子４は、傾斜角θ３及びθ４が０度となっていることから、気流に基づく小さな開口開放移動力及び開口閉鎖移動力が付与されることで開口開放移動及び開口閉鎖移動を生じ、また、障子４が開口開放位置から次第に離れるに連れて、障子４の自重に基づく抗開口開放移動力及び抗開口閉鎖移動力が生じるので、気流に基づく小さな開口開放移動力及び開口閉鎖移動力によっては、障子４には開口開放移動及び開口閉鎖移動が生じ得なくなる。而して、小さな気流であっても、当該気流に基づいて障子４の開閉移動を生じさせることができ、しかも、障子４による急速な開口開放及び開口閉鎖をも防止することができる。尚、斯かる自然換気窓１では、障子４に装着された係合部材６５を手動操作により建物内８側から引っ張って障子４を開口閉鎖位置に配し、当該係合部材６５を下枠１３に係合させることにより開口３を閉鎖した状態を維持する。
【００４２】
以上の自然換気窓１によれば、建物に装着される窓枠２と、窓枠２に画成された開口３に配される障子４と、気流に基づいて開口３を開閉させる開閉手段６とを具備しており、開閉手段６は、障子４の上框２２側の部位３１を昇降自在に且つ水平軸Ｓ１の回りでＲ１方向に回動自在に支持する支持機構３２と、前記部位３１に対して下方に位置する障子４の部位３３を、建物内外方向Ｘに移動自在に且つ水平軸Ｓ２の回りでＲ２方向に回動自在に支持する支持機構３４とを具備しており、障子４の部位３３は、障子４が開口閉鎖位置にある場合に障子４の重心Ｇに対して上方に位置すると共に当該重心Ｇに対して建物外７側に位置するように配されており、支持機構３４は、障子４の部位３３に形成された軸体５１と、軸体５１を建物内外方向Ｘに直動自在に且つ水平軸Ｓ２の回りでＲ２方向に回動自在に支持する支持部材５２と、建物内外方向Ｘに直動自在に支持部材５２に支持された状態の軸体５１に対して下方に且つ建物内８側に位置すると共に、支持部材５２を窓枠２に水平軸Ｓ３の回りでＲ３方向に回動自在に連結している回動軸４５と、窓枠２に装着されていると共に、軸体５１の建物内方向Ｘ２に向かう直動に基づいて軸体５１を上方に案内する一方、軸体５１の建物外方向Ｘ１に向かう直動に基づいて軸体５１を下方に案内するように、建物内８側に寄って位置する軸体５１に当接する案内部材４６と、軸体５１を建物内外方向Ｘに直動自在に支持した状態における支持部材５２の回動角を保持する保持機構４７とを具備しているために、開口開放位置側にある障子４の気流に基づく開口閉鎖移動を軽くすると共に開口閉鎖位置側にある障子４の気流に基づく開口閉鎖移動を重くすることができ、而して、開口開放位置側にある障子４の気流に基づく開閉移動により好適に換気することができ、案内部材４６による軸体５１の案内によって障子４の開口閉鎖移動に抗する抗開口閉鎖移動力を生じさせることで、開口閉鎖位置側にある障子４の急速な開口閉鎖移動を防止することができ、しかも、支持部材５２が軸体５１の建物内方向Ｘ２の直動に基づく建物内８側に向かう回動を生じることにより障子４が開口閉鎖位置にある場合において建物内８側及び建物外７側のいずれにも何も突出させることがなくなる。
【００４３】
自然換気窓１によれば、支持部材５２は、軸体５１を建物内外方向Ｘに直動自在に且つ水平軸Ｓ２の回りでＲ２方向に回動自在に支持する直動支持部５３と、直動支持部５３の建物外７側寄りの端部５６に連接されており、建物内方向Ｘ２に向かう障子４の部位３３の移動に際して当該部位３３を下方に変位させる一方、建物外方向Ｘ１に向かう障子４の部位３３の移動に際して当該部位３３を上方に変位させるように、軸体５１を建物内外方向Ｘに交差する方向に移動自在に且つ水平軸Ｓ２の回りでＲ２方向に回動自在に支持する建物外７側寄りの端側支持部５７とを具備しているために、建物外７側寄りの端側支持部５７において開口開放位置側にある障子４の急速な開口開放移動を防止することができる。
【００４４】
自然換気窓１によれば、案内部材４６は、建物内方向Ｘ２に向かう軸体５１の直動に基づく回動が支持部材５２に生じる前又は同時に、軸体５１に当接するように窓枠２に装着されているために、支持部材５２の建物内８側寄りの部位において障子４の開口閉鎖移動力に抗する抗開口閉鎖移動力が瞬間的に過大になることを阻止し得る。
【００４５】
自然換気窓１によれば、開口開放位置にある障子４の部位３３及び当該障子４の重心Ｇは、鉛直方向Ｖに伸びる同一直線上に夫々位置するために、障子４に重錘等を装着することなく、開口開放位置において障子４を釣り合わせることができて、ストッパ等を用いずとも障子４の開口開放方向に向かう移動を停止させることができ、しかも、開口開放位置又はその近傍にある障子４の気流に基づく開閉移動を軽くすることができる。
【図面の簡単な説明】
【００４６】
【図１】本発明の実施の形態の例の開口開放状態における側面説明図である。
【図２】図１に示す例の開口全開状態における側面説明図である。
【図３】図１に示す例の動作説明図である。
【図４】図１に示す例の開口閉鎖状態における側面説明図である。
【図５】図４に示す例の平面説明図である。
【図６】図１に示す例の開口閉鎖状態における障子を省いた側面説明図である。
【図７】図１に示す例の開口開放状態における主に第二の支持機構の拡大説明図である。
【図８】図１に示す例の開口閉鎖状態における主に第二の支持機構の拡大説明図である。
【図９】図１に示す例の主に第二の支持機構の案内部材の拡大説明図である。
【図１０】図１に示す例の他の第二の支持機構の説明図である。
【符号の説明】
【００４７】
１  自然換気窓
２  窓枠
３  開口
４  障子
６  開閉手段
３２  支持機構
３４  支持機構
４５  回動軸
４６  案内部材
４７  保持機構
５１  軸体
５２  支持部材
【図１】
2008190297.tif 000003
【図２】
2008190297.tif 000004
【図３】
2008190297.tif 000005
【図４】
2008190297.tif 000006
【図５】
2008190297.tif 000007
【図６】
2008190297.tif 000008
【図７】
2008190297.tif 000009
【図８】
2008190297.tif 000010
【図９】
2008190297.tif 000011
【図１０】
2008190297.tif 000012